(57)【特許請求の範囲】
【請求項１】
内容物が収容される容器の口部に装着され、前記容器の内部に連通する連通開口を通して前記内容物を吐出する吐出体と、
前記吐出体を開閉するキャップ体と、を備え、
前記吐出体は、前記容器本体の口部に装着される外装体と、前記連通開口が形成されると共に、前記キャップ体と同軸に配置され、且つ前記キャップ体の開閉動作に伴って上下動される可動体と、前記可動体の上下動に伴って前記連通開口と前記容器の内部との連通及びその遮断を切り替える吐出弁体と、を備え、
前記外装体は、前記容器本体の口部に装着されると共に前記キャップ体が着脱自在に装着される装着筒部と、該装着筒部の上端部から径方向内方に向けて突設され、前記容器本体の口部上に配設された円環状の頂壁部と、該頂壁部の内周縁部から上方に向けて突設された取付筒部と、を備え、
前記可動体は、前記取付筒部の内部に上下動可能に配置され、内側が前記連通開口に連通した吐出筒部と、前記取付筒部を径方向外方から囲繞すると共に前記取付筒部に上下動可能に外嵌された嵌合筒部と、該嵌合筒部から径方向外方に向けて円柱状に突設されると共に、中心軸を径方向で挟んで両側に位置する一対の第１係合部と、を備え、
前記キャップ体の天壁部には、下方に向けて突設されると共に、前記中心軸を径方向で挟んで両側に位置し、且つ互いに平行な板片部と、該板片部の下端部から径方向内方に突設されると共に、前記第１係合部に対して下方から係合する第２係合部と、を有する一対の係合部が形成され、
前記キャップ体の周壁部には、径方向内方に向けて陥没するくびれ部が全周にわたって形成されていることを特徴とする吐出部材。
【請求項２】
前記周壁部は、中心軸を径方向で挟んで両側に位置すると共に前記くびれ部から下方に向けて延在する一対の平面部を有することを特徴とする請求項１に記載の吐出部材。
【請求項３】
前記装着筒部は、前記一対の平面部内に嵌合されて前記吐出体に対する前記キャップ体の周方向の回転を防止する一対の平坦部を有することを特徴とする請求項２に記載の吐出部材。
【請求項４】
前記吐出体のうち前記キャップ体から下方に露出する部分には、前記平面部を周方向で位置合わせしたときに前記第１係合部と前記第２係合部とが上下方向に係合する印部が形成されていることを特徴とする請求項２または３に記載の吐出部材。
【発明の詳細な説明】
【技術分野】
【０００１】
本発明は、吐出部材に関するものである。
【背景技術】
【０００２】
この種の吐出部材として、容器の口部に装着されると共に容器の内部に連通する連通開口を通して内容物を吐出する吐出体と、吐出体を開閉するキャップ体と、を備えるものが提案されている（例えば、特許文献１参照）。
この吐出体は、連通開口が形成されると共に上下動可能な可動体と、可動体の上下動に伴って連通開口と容器の内部との連通及びその遮断を切り替える吐出弁体と、を有しており、キャップ体を引き上げる動作に伴って可動体を上下動させることにより、連通開口と容器の内部との連通及びその遮断を切り替えている。
【先行技術文献】
【特許文献】
【０００３】
【特許文献１】特開２００２−３３７９１０号公報
【発明の概要】
【発明が解決しようとする課題】
【０００４】
しかしながら、このような吐出部材においても、吐出体に対してキャップ体を離脱させる際の操作性を向上させることに改善の余地があった。
本発明は、前述の課題に鑑みてなされたもので、キャップ体の離脱操作性を向上させた吐出部材を提供することを目的とする。
【課題を解決するための手段】
【０００５】
本発明は、上記のような課題を解決するために以下のような手段を採用した。すなわち、本発明の吐出部材は、内容物が収容される容器の口部に装着され、前記容器の内部に連通する連通開口を通して前記内容物を吐出する吐出体と、前記吐出体を開閉するキャップ体と、を備え、前記吐出体は、前記容器本体の口部に装着される外装体と、前記連通開口が形成されると共に、前記キャップ体と同軸に配置され、且つ前記キャップ体の開閉動作に伴って上下動される可動体と、前記可動体の上下動に伴って前記連通開口と前記容器の内部との連通及びその遮断を切り替える吐出弁体と、を備え、前記外装体は、前記容器本体の口部に装着されると共に前記キャップ体が着脱自在に装着される装着筒部と、該装着筒部の上端部から径方向内方に向けて突設され、前記容器本体の口部上に配設された円環状の頂壁部と、該頂壁部の内周縁部から上方に向けて突設された取付筒部と、を備え、前記可動体は、前記取付筒部の内部に上下動可能に配置され、内側が前記連通開口に連通した吐出筒部と、前記取付筒部を径方向外方から囲繞すると共に前記取付筒部に上下動可能に外嵌された嵌合筒部と、該嵌合筒部から径方向外方に向けて円柱状に突設されると共に、中心軸を径方向で挟んで両側に位置する一対の第１係合部と、を備え、前記キャップ体の天壁部には、下方に向けて突設されると共に、前記中心軸を径方向で挟んで両側に位置し、且つ互いに平行な板片部と、該板片部の下端部から径方向内方に突設されると共に、前記第１係合部に対して下方から係合する第２係合部と、を有する一対の係合部が形成され、前記キャップ体の周壁部には、径方向内方に向けて陥没するくびれ部が全周にわたって形成されていることを特徴とする。
【０００６】
この発明では、キャップ体を吐出体から離脱させる際に、指をくびれ部に掛けることで、キャップ体を吐出体から引き上げやすくなり、キャップ体の操作性が向上する。このため、キャップ体の開操作に伴う可動体の上昇移動が容易になり、吐出弁体による連通開口と容器の内部との連通及びその遮断の切り替えをより確実に行える。また、指を掛けるくびれ部が径方向内方に向けて陥没しているため、キャップ体の占有スペースを増大させることなくキャップ体の操作性を向上させることができる。
【０００７】
また、本発明の吐出部材では、前記周壁部が、中心軸を径方向で挟んで両側に位置すると共に前記くびれ部から下方に向けて延在する一対の平面部を有していてもよい。
この場合では、キャップ体を吐出体に対して引き上げる際に、キャップ体に添えた指をこの平面部に沿ってくびれ部まで案内し、指をくびれ部に掛けることができるので、キャップ体の操作性がさらに向上し、上記開操作に伴う吐出弁体による連通開口と容器の内部との連通及びその遮断の切り替えをより確実に行える。
【０００８】
また、本発明の吐出部材では、前記装着筒部が、前記一対の平面部内に嵌合されて前記吐出体に対する前記キャップ体の周方向の回転を防止する一対の平坦部を有してもよい。
この発明では、キャップ体が吐出体に対して周方向に回転することを防止しながら吐出体に対してキャップ体を着脱できるため、吐出体に対するキャップ体の開閉操作がより容易になる。
【０００９】
また、本発明の吐出部材では、前記吐出体のうち前記キャップ体から下方に露出する部分には、前記平面部を周方向で位置合わせしたときに前記第１係合部と前記第２係合部とが上下方向に係合する印部が形成されてもよい。
この発明では、吐出体の上記露出する部分に形成された印部に基づいてキャップ体を吐出体に対して周方向で位置合わせすることにより、可動体の第１係合部とキャップ体の第２係合部とを係合させることが容易になるので、吐出体に対するキャップ体の開閉操作がさらに容易になる。
【発明の効果】
【００１０】
この発明にかかる吐出部材によれば、指などをくびれ部に引っ掛けることで、吐出体に対するキャップ体の離脱操作性が向上し、キャップ体の離脱に伴う吐出弁体による連通開口と容器の内部との連通及びその遮断の切り替えをより確実に行える。また、くびれ部が径方向内方に窪んでいるので、キャップ体の占有スペースを増大させることなくキャップ体の操作性を向上させることができる。
【図面の簡単な説明】
【００１１】
【図１】本発明の一実施形態における吐出部材を装着した吐出容器を示す軸方向断面図である。
【図２】図１の吐出容器を示す他の軸方向断面図である。
【図３】図１の吐出容器を示す側面図である。
【図４】図２の吐出容器を示す側面図である。
【図５】キャップ体を取り外した状態における図１の吐出容器を示す上面図である。
【図６】図３のキャップ体を示すＡ−Ａ線に沿う断面矢視図である。
【図７】図３のキャップ体を示す下面図である。
【図８】図１の吐出容器による内容物の吐出方法を示す軸方向断面図である。
【発明を実施するための形態】
【００１２】
以下、本発明における吐出部材の一実施形態を、図面に基づいて説明する。なお、以下の説明に用いる各図面では、各部材を認識可能な大きさとするために縮尺を適宜変更している。
【００１３】
本実施形態における吐出部材１は、有頂円筒状をなしており、図１及び図２に示すように、液状の内容物が収容される有底円筒状の二重容器（容器）２の口部２Ａに装着されることによって、吐出容器３を構成する。
これら吐出部材１及び二重容器２は、それぞれの中心軸が共通軸上に位置した状態で配設されている。本実施形態では、この共通軸を軸線Ｏとし、吐出容器３の正立姿勢においてこの軸線Ｏに沿う吐出部材１側を上方、その反対側を下方とし、軸線Ｏに直交する方向を径方向、軸線Ｏ回りの方向を周方向とする。また、図１において軸線Ｏに対して左側の方向を前方とし、軸線Ｏに対して右側の方向を後方とし、軸線Ｏ及びこの前後方向に直交する方向を左右方向とする。
【００１４】
二重容器２は、内容物が収容されると共に可撓性を有する内容器１１と、内容器１１を収容すると共に弾性変形可能な外容器１２と、を有しており、図示の例では、外容器１２に対して内容器１１が剥離可能に積層されたデラミボトル（積層剥離型容器）となっている。そして、二重容器２の口部２Ａは、内容器１１の口部１１Ａと外容器１２の口部１２Ａとを積層した構成となっている。
【００１５】
外容器１２の口部１２Ａは、上端部に位置する上筒部１５と、上筒部１５の下側に位置し、内径及び外径が上筒部１５よりも大きく形成された下筒部１６と、を有する二段筒状に形成されている。
上筒部１５の外周面には、吐出部材１が着脱自在に螺着される雄ネジ部が形成されている。また、上筒部１５のこの雄ネジ部の下側には、外容器１２と内容器１１との間に外気を吸入させる吸気孔１５ａが周方向に間隔をあけて複数（本実施形態では対向するように２つ）形成されている。さらに、この雄ネジ部において吸気孔１５ａと周方向の位置が一致する部分には、上下方向に延びる第１縦溝部１５ｂがこの雄ネジ部を縦断するように形成されている。なお、第１縦溝部１５ｂは、吸気孔１５ａと周方向の位置が一致しない部分に形成されてもよい。
【００１６】
吐出部材１は、二重容器２の口部２Ａに装着され、内容器１１の内部に連通する連通開口２１ａを通して内容物を吐出する吐出体２１と、吐出体２１を開閉するキャップ体２２と、を備える。
吐出体２１は、二重容器２の口部２Ａに装着され、この口部２Ａを径方向外側から囲繞する外装体２５と、キャップ体２２の開閉動作に伴って上下動される吐出ヘッド（可動体）２６と、吐出ヘッド２６の上下動に伴って連通開口２１ａと内容器１１の内部との連通及びその遮断を切り替える吐出弁体２７と、内容器１１の内圧に応じて外部と内容器１１及び外容器１２間の空間との連通及びその遮断を切り替える外気導入弁体２８と、を有する。
【００１７】
外装体２５は、二重容器２の口部２Ａに装着される円筒状の装着筒部３１と、装着筒部３１の上端部から径方向内方に向けて突設され、二重容器２の口部２Ａ上に配設された平面視円環状の頂壁部３２と、頂壁部３２の内周縁部から上方に向けて突設された円筒状の取付筒部３３と、を有する。
装着筒部３１は、図１から図４に示すように、キャップ体２２の後述する一対の曲面部８７及び一対の平面部８８それぞれと周方向で位置合わせした一対の湾曲部３１Ａ及び一対の平坦部３１Ｂで構成されている。
【００１８】
一対の湾曲部３１Ａは、断面円弧状の湾曲板状をなすと共に軸線Ｏに沿って上下方向に延在しており、軸線Ｏを前後方向で挟んで両側に位置している。一対の平坦部３１Ｂは、平板状をなすと共に軸線Ｏに沿って上下方向に延在しており、一対の湾曲部３１Ａと同様に、軸線Ｏを左右方向で挟んで両側に位置している。そして、平坦部３１Ｂは、一対の湾曲部３１Ａそれぞれの周方向端部同士を接続しており、湾曲部３１Ａ及び平坦部３１Ｂは、周方向で互いに連接している。
【００１９】
また、装着筒部３１の内周面には、二重容器２の口部２Ａの雄ネジ部と螺合する雌ネジ部が形成されている。また、装着筒部３１の雌ネジ部よりも下方に位置する下端部は、外容器１２の下筒部１６に気密状態で外嵌しており、吸気孔１５ａと吐出容器３の外部との装着筒部３１の下方からの連通を遮断している。さらに、装着筒部３１の下端部は、その外径がこの下端部よりも上側の部分よりも大きくなっており、湾曲部３１Ａに対応する段部（印部）３１Ｃ及び平坦部３１Ｂに対応する段部（印部）３１Ｄを形成している。段部３１Ｃの外周面形状は、湾曲部３１Ａの外周面形状と同様に湾曲しており、段部３１Ｄの外周面形状は、平坦部３１Ｂの外周面形状と同様の平坦面となっている。
【００２０】
取付筒部３３の高さは、図１に示すように、周方向で異なっており、図示の例では後方側に位置する部分が最も低く、他の部分が後方側に位置するこの部分よりも上方に突出している。そして、取付筒部３３のうち上記後方側に位置する部分の内周面には、上下方向にわたって凹リブ状の第２縦溝部３３ａが形成されている。また、取付筒部３３のうち上記後方側に位置するこの部分以外の他の部分には、径方向外方に向けて第１係合突出部３３ｂが突設されている。
【００２１】
吐出ヘッド２６は、図１、図２及び図５に示すように、軸線Ｏに沿って上下動可能な円筒状の吐出筒部４１と、吐出筒部４１の上端部に連接された天板部４２と、吐出筒部４１から径方向外方に向けて突設された平面視円環状をなす傾斜フランジ部４３と、傾斜フランジ部４３の外周縁部から下方に向けて延設された円環状の嵌合筒部４４と、天板部４２の上面を被覆する可撓性の被覆体４５と、を有する。
【００２２】
吐出筒部４１の内側には、連通開口２１ａに連通する連通路４１ａが形成されている。また、吐出筒部４１の内周面において前方側に位置する部分には、図１及び図５に示すように、連通開口２１ａから流出した内容物を内容器１１内に戻すことや内容物の流出を促進する第３縦溝部４１ｂが連通開口２１ａから上下方向の中間部分まで形成されている。
【００２３】
天板部４２は、吐出筒部４１の全周にわたって径方向外方に突出している。そして、天板部４２は、平面視Ｄ字状かつ凹曲面状をなしており、左右方向に沿って中央から外側に向かうにしたがって漸次せりあがる断面視弓形状に湾曲している。
また、天板部４２は、後方側よりも前方側が上方に位置するように軸線Ｏに対して上向きに傾斜している。そして、天板部４２の前方部４２Ａは、左右方向に沿ってほぼ平行に延びる外形をなしており、天板部４２の後方部４２Ｂは、平面視半円状に形成されている。
さらに、天板部４２には、吐出筒部４１の連通路４１ａを通して内容器１１の内部に連通する連通開口２１ａが形成されている。なお、図示の例では、連通開口２１ａが吐出筒部４１の内径と同等となっているが、吐出筒部４１の内径よりも小さくてもよい。
【００２４】
嵌合筒部４４は、外装体２５の取付筒部３３を径方向外方から囲繞すると共に、この取付筒部３３に上下摺動可能に外嵌されている。また、嵌合筒部４４には、径方向外方に向けて一対の被係合突起部（第１係合部）４６が突設されている。これら被係合突起部４６は、軸線Ｏを左右方向で挟んで両側に配設されており、天板部４２よりも径方向外方に突出するように形成されている。さらに、嵌合筒部４４の下端部には、第１係合突出部３３ｂと係合する第２係合突出部４４ａが径方向内方に向けて突設されている。
【００２５】
被覆体４５は、図５に示すように、天板部４２の外周縁に沿った形状に形成されており、連通開口２１ａを覆っている。そして、被覆体４５は、天板部４２の上面に対して固着部４５Ａを介して固着されている。固着部４５Ａは、Ｕ字状をなすように連通開口２１ａの周囲に形成されており、天板部４２の前方部４２Ａ側の中央において開口している。
これにより、天板部４２の前方部４２Ａ側には、固着部４５Ａが開口して被覆体４５と天板部４２とが固着されていない部分が形成され、この部分（固着部４５Ａの開口部分）は、吐出口４２ｃとなる。
【００２６】
また、被覆体４５は、天板部４２の湾曲形状にならって湾曲されており、この被覆体４５のうち固着部４５Ａの内側に位置する部分が非固着部４５Ｂとされ、天板部４２の上面に密接されている。これにより、連通開口２１ａが非固着部４５Ｂによってシールされ、内容器１１の密閉性が確保される。被覆体４５の非固着部４５Ｂは、天板部４２の上面から離間する方向に例えば弾性的に膨出変形（反転変形）することで、天板部４２の上面から離間可能とされている。これにより、被覆体４５の非固着部４５Ｂは、連通開口２１ａを開閉自在にシールする。
【００２７】
なお、被覆体４５は、天板部４２の上面に対して、例えば接着用シーラントや接着剤などによる接着や、熱溶着などの溶着によって固着されている。また、被覆体４５としては、破れにくい一般的なフィルム（伸縮性の有無に関係なく適用可能である）や、可撓性を有する樹脂性シートまたは金属箔などが挙げられ、その層構成としては、単層や積層が挙げられる。
【００２８】
吐出弁体２７は、図１及び図２に示すように、二重容器２の口部２Ａに装着されると共にこの口部２Ａ上に配設される内装部５１と、連通開口２１ａと内容器１１の内部との連通及びその遮断を切り替える弁体部５２と、を有する。
内装部５１は、二重容器２の口部２Ａの内側に嵌合された円筒状の第１シール筒部６１と、第１シール筒部６１の上端部から径方向外方に向けて突設された円環状の外フランジ部６２と、外フランジ部６２の外周縁部から下方に向けて延設され、二重容器２の口部２Ａの外側に嵌合された第２シール筒部６３と、第１シール筒部６１の下端部から径方向内方に向けて突設された円環状の内フランジ部６４と、内フランジ部６４の内周縁部から上方に向けて延設されたガイド筒部６５と、を備える。
これら第１シール筒部６１、外フランジ部６２、第２シール筒部６３、内フランジ部６４及びガイド筒部６５は、軸線Ｏと同軸に配置されている。
【００２９】
第１及び第２シール筒部６１、６３は、二重容器２の口部２Ａを挟み込んでいる。
外フランジ部６２及び第２シール筒部６３には、吸気孔１５ａと第１縦溝部１５ｂとに連通する連通溝部５１ａが形成されている。なお、連通溝部５１ａは、吸気孔１５ａと周方向の位置が一致する部分に形成されているが、一致しない部分に形成されてもよい。
ガイド筒部６５は、外周面が取付筒部３３の内周面と摺接すると共に、内周面が吐出筒部４１の外周面と摺接している。なお、ガイド筒部６５の高さは、例えば第１シール筒部６１のほぼ２倍となっている。
さらに、内装部５１は、外装体２５の頂壁部３２などと共に連通溝部５１ａに連通する環状の内部空間５１Ｂを画成する。
【００３０】
弁体部５２は、軸線Ｏと同軸に配設された有頂筒状をなしており、下端部を内装部５１の内フランジ部６４の高さとほぼ一致させた状態でガイド筒部６５の径方向内方に配設されている。そして、弁体部５２は、円筒状をなす筒体部６６と、筒体部６６の上端部に連設され、内径及び外径が上方に向かうにしたがって縮径する垂体部６７と、を有している。筒体部６６の下端部は、径方向外方に延びると共に、周方向に間隔をあけて複数配設されたブリッジ部６８を介して内装部５１の内フランジ部６４の内周縁部に連結されている。なお、周方向で隣り合うブリッジ部６８間は、流通開口６８ａとされている。
【００３１】
吐出ヘッド２６が下降端位置にあるとき、筒体部６６と内装部５１のガイド筒部６５との間には、吐出ヘッド２６の吐出筒部４１の下端部が液密にかつ着脱自在に嵌め込まれている。そのため、流通開口６８ａを通した連通路４１ａと内容器１１の内部との連通は、この状態で遮断されている一方、吐出ヘッド２６が上昇移動した際には、吐出筒部４１の下端部が弁体部５２から離間するため、流通開口６８ａを通して連通路４１ａと内容器１１の内部とが連通する。
【００３２】
外気導入弁体２８は、内部空間５１Ｂ内に配設されており、内装部５１のガイド筒部６５に外嵌された円筒状の弁筒部７１と、弁筒部７１から径方向外方に向けて突設された円環状の弁板部７２と、を有する。
弁筒部７１は、内装部５１の内フランジ部６４と外装体２５の頂壁部３２とに接しており、この上端部には、外装体２５の取付筒部３３の第２縦溝部３３ａと連通する横溝部７１ａが周方向に間隔をあけて複数形成されている。これにより、横溝部７１ａを通して第２縦溝部３３ａと内部空間５１Ｂとが連通する。
【００３３】
弁板部７２は、径方向外方に向かうにしたがって上方に向かうように形成されており、外縁部が外装体２５の頂壁部３２に対して全周にわたって当接している。そして、弁板部７２は、自身の弾性変形によって頂壁部３２に対して当接、離間可能となっている。これにより、弁板部７２は、横溝部７１ａを通した第２縦溝部３３ａと内部空間５１Ｂとの連通及びその遮断を切り替えている。
【００３４】
キャップ体２２は、図１から図４、図６及び図７に示すように、有頂円筒状をなしており、平面視円状をなす天壁部８１と、天壁部８１の外周縁部から下方に延設された周壁部８２と、を有する。
天壁部８１において軸線Ｏを左右方向で挟む両側には、径方向外方から嵌合筒部４４に形成された被係合突起部４６と係合する一対の係合部８３が形成されている。係合部８３は、天壁部８１から下方に向けて突設されており、前後方向に平行な板片部８４と、板片部８４の下端部から径方向内方に突設されると共に、被係合突起部４６に対して下方から係脱自在に係合する係合突起部（第２係合部）８５と、を有する。
【００３５】
周壁部８２は、天壁部８１に接続されると共に全周にわたって延在すると共に径方向内方に向けて窪むくびれ部８６と、くびれ部８６の下端部から下方に延在する一対の曲面部８７及び一対の平面部８８と、を有する。
本実施形態におけるくびれ部８６は、天壁部８１の下面に隣接して径方向内方に突出する曲面状（縦断面）に形成されており、この天壁部８１の外周縁部がフランジ状になっている。
一対の曲面部８７は、装着筒部３１の湾曲部３１Ａと同様に、断面円弧状をなす湾曲板状をなすと共に軸線Ｏに沿って上下方向に延在しており、軸線Ｏを前後方向で挟んで両側に位置している。そして、曲面部８７は、内周面が湾曲部３１Ａの外周面の形状と同様の曲面形状を有しており、湾曲部３１Ａの外側に嵌合されている。
【００３６】
一対の平面部８８は、装着筒部３１の平坦部３１Ｂと同様に、平面視平板状をなして軸線Ｏに沿って上下方向に延在しており、軸線Ｏを左右方向で挟んで両側に位置している。そして、平面部８８は、平坦部３１Ｂの外側に嵌合されている。また、一対の平面部８８は、一対の係合部８３と周方向で位置合わせされた状態で配設されている。そして、平面部８８は、一対の曲面部８７それぞれに周方向端部同士を接続しており、これら曲面部８７及び平面部８８は、周方向で互いに連接している。
このように、キャップ体２２は、曲面部８７及び平面部８８それぞれが湾曲部３１Ａ及び平坦部３１Ｂそれぞれに対して外側から嵌合していることにより、外装体２５に対して周方向に回転することが防止されている。
【００３７】
次に、以上のような構成の吐出部材１を用いた内容物の吐出方法について説明する。
まず、図１及び図２に示すように、キャップ体２２が吐出体２１の外装体２５に装着された未使用状態では、吐出弁体２７によって内容器の内部と連通開口２１ａとの連通が遮断されており、天板部４２の上面に被覆された被覆体４５の非固着部４５Ｂが連通開口２１ａをシールしている。そのため、この未使用状態において、内容器１１の密閉性が確保されるので、内容物は、連通開口２１ａから不意に流出して外部に漏出しない。
【００３８】
使用する際には、キャップ体２２を吐出体２１の外装体２５から離脱させる。ここでは、周壁部８２のくびれ部８６に指などを掛けた状態で吐出体２１に対してキャップ体２２を軸線Ｏに沿って上方に引き上げる。なお、指を周壁部８２の曲面部８７または平面部８８に添えた状態でも、添えた指が引き上げ操作に伴ってこの曲面部８７または平面部８８に沿って上方に案内され、くびれ部８６に掛けられる。このとき、キャップ体２２が外装体２５に対して周方向で回転することが防止されているので、周壁部８２の曲面部８７及び平面部８８それぞれは、装着筒部３１の湾曲部３１Ａ及び平坦部３１Ｂそれぞれに沿って軸線Ｏに沿って案内される。
【００３９】
この開操作に伴って、天板部４２に設けられた係合部８３の係合突起部８５が吐出ヘッド２６の被係合突起部４６に対して下方から係合しながら係合部８３が上昇移動する。このため、図８に示すように、吐出ヘッド２６を構成する吐出筒部４１の下端部は、弁体部５２の筒体部６６と内装部５１のガイド筒部６５との間から上方に抜け出して吐出弁体２７から離間する。これにより、内容器１１の内部と連通開口２１ａとは連通する。
【００４０】
そして、嵌合筒部４４の第２係合突出部４４ａが取付筒部３３の第１係合突出部３３ｂと係合すると、嵌合筒部４４は、第１及び第２係合突出部３３ｂ、４４ａによって上昇移動が規制される。この状態で、キャップ体２２をさらに引き上げると、係合部８３の係合突起部８５は、吐出ヘッド２６の被係合突起部４６を下方から上方に乗り越え、係合部８３と吐出ヘッド２６との係合を解除する。これにより、キャップ体２２を離脱する。
このとき、上述のようにキャップ体２２が外装体２５に対して周方向で回転しないので、さらに、吐出筒部４１と内装部５１のガイド筒部６５とが互いに摺接しており、ガイド筒部６５が吐出ヘッド２６を案内するので、吐出ヘッド２６は、安定して上昇移動する。
【００４１】
このようにキャップ体２２を離脱させた後、二重容器２を径方向内方に向けて押し込んでスクイズ変形（圧搾変形）させ、内容器１１の内圧を上昇させる。内容器１１の内圧が上昇すると、内容物は、流通開口６８ａ及び連通路４１ａを通って連通開口２１ａから流出する。なお、二重容器２を前方に傾けて吐出口４２ｃを下方に向けた吐出姿勢とし、内容物の自重により内容物を連通開口２１ａから流出させてもよい。このとき、二重容器２を吐出姿勢とした状態で二重容器２をスクイズ変形させてもよい。
【００４２】
連通開口２１ａから流出する内容物によって被覆体４５が押圧されるので、被覆体４５の非固着部４５Ｂは、天板部４２の上面から離間する上方に例えば反転変形し、上側に凸となるドーム状に膨出する。このため、被覆体４５と天板部４２の上面との間には、連通開口２１ａに連通する流路２１ｂが画成されると共に、固着部４５Ａの開口部分には、外側に向けて開口する吐出口４２ｃが画成される。
これにより、連通開口２１ａから流出した内容物は、流路２１ｂを通って吐出口４２ｃから吐出される。
【００４３】
内容物の吐出を停止させる際には、二重容器２の押圧を停止、解除する。なお、二重容器２を上記吐出姿勢として内容物を吐出させている場合には、二重容器２を元の正立姿勢に戻す。これにより、被覆体４５に付与されていた内容物からの押圧力が解除され、図１及び図２に示すように、天板部４２の上面から離間していた被覆体４５の非固着部４５Ｂは、例えば被覆体４５の弾性や内容器１１の内圧（負圧）によって元の状態に復元変形され、天板部４２の上面に密接する。このため、吐出口４２ｃ及び流路２１ｂが閉鎖されると共に、連通開口２１ａがシールされ、内容器１１の密閉性が再び確保される。このとき、天板部４２が前方に向かうにしたがって上方に傾斜しており、前方部４２Ａが後方部４２Ｂよりも上方に位置しているので、流路２１ｂ内の内容物は、天板部４２に沿って連通開口２１ａに戻りやすくなり、吐出後の内容物の液ダレを抑制できる。
【００４４】
なお、本実施形態の二重容器２は、デラミボトルであるため、内容物の吐出によって内容器１１が減容変形してその状態を維持するため、内容器１１と外容器１２との間に負圧が発生する。そのため、この負圧が吸気孔１５ａを通して外気導入弁体２８の弁板部７２に作用することにより、弁板部７２の外周縁部が頂壁部３２から離間し、第２縦溝部３３ａ、内部空間５１Ｂ、連通溝部５１ａ及び第１縦溝部１５ｂからなる外気流入路を通って外部と吸気孔１５ａとが連通する。そのため、外部から上記外気流入路に外気が流入し、この外気が吸気孔１５ａから内容器１１と外容器１２との間に吸入される．
したがって、吐出容器３から内容物を吐出した後は、内容器１１が外容器１２から剥離して両者の間に間隙が形成される。そのため、外容器１２は、内容器１１を減容変形させたままスムーズに復元変形される。
【００４５】
内容物の吐出終了後は、キャップ体２２を吐出体２１の外装体２５に再度装着させる。ここでは、周壁部８２の曲面部８７及び平面部８８と外装体２５の湾曲部３１Ａ及び平坦部３１Ｂとの周方向の位置をそれぞれ合わせた状態で、キャップ体２２を吐出体２１の外装体２５に装着する。このとき、段部３１Ｃ、３１Ｄの外周面形状を異ならせることにより、段部３１Ｃ、３１Ｄを基準とした吐出体２１とキャップ体２２との周方向における位置合わせが容易となる。なお、周壁部８２の外面と段部３１Ｃ、３１Ｄの外面とは、径方向において等しくなっている。また、周壁部８２の曲面部８７及び平面部８８は、周壁部８２が外装体２５の装着筒部３１に対して周方向に回転することを防止しながら、外装体２５の湾曲部３１Ａ及び平坦部３１Ｂの外周面に沿って軸線Ｏに沿って下方に案内される。
【００４６】
この閉操作に伴って、係合部８３の係合突起部８５が吐出ヘッド２６の被係合突起部４６に対して上側から当接しながら係合部８３が下降移動することにより、吐出ヘッド２６が下降移動する。そして、吐出ヘッド２６の下降移動に伴って、吐出筒部４１の下端部が弁体部５２の筒体部６６と内装部５１のガイド筒部６５との間に再び嵌まり込み、流通開口６８ａを通した内容器１１の内部と連通路４１ａとの連通を遮断する。吐出ヘッド２６の吐出筒部４１の下端部が流通開口６８ａの連通を遮断した際に、係合部８３の係合突起部８５が吐出ヘッド２６の被係合突起部４６を上方から下方に乗り越える。これにより、内容器１１の密閉性がよりいっそう確保され、被覆体４５による連通開口２１ａのシールと合わせて内容物が連通開口２１ａから不意に漏出して不意に漏出することを効果的に抑制する。
以上のようにして、吐出容器３内の内容物を吐出する。
【００４７】
以上のような構成の吐出部材１によれば、指などをくびれ部８６に掛けることでキャップ体２２を吐出体２１に対して離脱させる際のキャップ体２２の操作性が向上し、さらにキャップ体２２を把持する指が平面部８８に沿ってくびれ部８６まで案内されるので、キャップ体２２の開操作に伴う吐出弁体２７による連通開口２１ａと内容器１１の内部との連通及びその遮断をより確実に行える。また、くびれ部８６が径方向内方に陥没しているので、キャップ体２２の占有スペースを増大させることなくキャップ体２２の操作性を向上させることができる。
【００４８】
また、段部３１Ｃ、３１Ｄの外周面形状を異ならせることにより、段部３１Ｃ、３１Ｄを基準とした吐出体２１とキャップ体２２との周方向の位置合わせが容易になる。さらに、装着筒部３１の平坦部３１Ｂが周壁部８２の平面部８８の内側に嵌合しており、キャップ体２２が吐出体２１に対して周方向に回転することを防止しながら吐出体２１に対してキャップ体２２を着脱できる。これにより、吐出ヘッド２６の被係合突起部４６とキャップ体２２の係合突起部８５とを係合させることが容易になる。
【００４９】
さらに、キャップ体２２が吐出体２１を覆っている未使用状態では、吐出弁体２７が内容器１１の内部と連通開口２１ａとの連通を遮断しており、被覆体４５の固着部４５Ａが連通開口２１ａをシールしているので、内容器１１の密閉性を確保し、内容物が連通開口２１ａから不意に流出して外部に漏出することを防止できる。
【００５０】
なお、本発明は上記実施形態に限定されるものではなく、本発明の趣旨を逸脱しない範囲において種々の変更を加えることができる。
例えば、容器は、内容器と外容器とを有する二重容器となっているが、二重容器に限られない。
吐出体は、フィルム状の被覆体を用いて吐出口の開閉を行う構成となっているが、可動体及び吐出弁体を有していれば、他の構成であってもよい。
くびれ部は、周壁部の上端部に形成されているが、周壁部において全周にわたって形成されていれば、他の部分に形成されてもよい。
周壁部には、一対の平面部が形成されているが、平面部を１つまたは３つ以上形成してもよく、少なくともくびれ部が形成されていれば、平面部が形成されていなくてもよい。
装着筒部には、周壁部の平面部が外側から嵌合する平坦部が形成されているが、平坦部が形成されていなくてもよい。
印部の形状は、装着筒部の段部の外周面形状を湾曲部及び平坦部に対応して異ならせた形状となっているが、キャップ体と装着体とを周方向で位置合わせすることが容易になれば、他の形状であってもよく、印部を形成しなくてもよい。
【産業上の利用可能性】
【００５１】
この発明によれば、キャップ体の離脱操作性を向上させた吐出部材に関して、産業上の利用可能性が認められる。
【符号の説明】
【００５２】
１  吐出部材、２  二重容器（容器）、２Ａ  口部、３  吐出容器、２１  吐出体、２１ａ  連通開口、２２  キャップ体、２６  吐出ヘッド（可動体）、２７  吐出弁体、３１  装着筒部、３１Ｂ  平坦部、３１Ｃ，３１Ｄ  段部（印部）、４６  被係合突起部（第１係合部）、８２  周壁部、８５  係合突起部（第２係合部）、８６  くびれ部、８７  曲面部、８８  平面部、Ｏ  軸線（中心軸）
【図１】
0005719615.tif 000002
【図２】
0005719615.tif 000003
【図３】
0005719615.tif 000004
【図４】
0005719615.tif 000005
【図５】
0005719615.tif 000006
【図６】
0005719615.tif 000007
【図７】
0005719615.tif 000008
【図８】
0005719615.tif 000009